(57)【特許請求の範囲】
【請求項１】
重ね合わされる両側縁がシールされる２枚の包装フィルムと、
２枚の包装フィルムの一端部を両側縁間に亘ってシールして設けられる封止部と、
２枚の包装フィルムの他端部をシールすることなく設けられる開口部と、
該開口部と該２枚の包装フィルムの両側縁と封止部とによって囲まれた内側に設けられる収納部とを備え、
該収納部に食品を収納した後、２枚の包装フィルムのうちの一方の包装フィルムの他端部の中央部を内側に折り畳み、次に、他方の包装フィルムの他端部の中央部を内側に折り畳み、次に、左右の側部を内側に折り畳むことによって、閉塞部が設けられ、且つ、該閉塞部の周縁から、他方の包装フィルムの他端部の中央部に設けられた開封起点となる摘み部が突出することを特徴とする食品用包装袋。
【請求項２】
前記他方の包装フィルムの他端部は、
内方に向かって凸となり且つ前記摘み部の両側縁に繋がる第１の内円弧縁と、
内方に向かって凸となり且つ２枚の包装フィルムの両側縁に繋がる第２の内円弧縁と、
外方に向かって凸となり且つ第１および第２の内円弧縁同士を繋ぐ外円弧縁とを備え、
前記一方の包装フィルムの他端部は、
前記第１の内円弧縁に対応する第１の内円弧縁と、
前記第２の内円弧縁に対応する第２の内円弧縁と、
前記外円弧縁に対応する外円弧縁とを備えることを特徴とする請求項１に記載の食品用包装袋。
【発明の詳細な説明】
【技術分野】
【０００１】
本発明は、サンドイッチやカステラなどの食品（以下、主として「サンドイッチ」という。）を包装する食品用包装袋に関する。
【背景技術】
【０００２】
側面形状が直角三角形のサンドイッチは、例えば図９（ａ）〜（ｃ）に示すような食品用包装袋１００に包装されて販売されている。この食品用包装袋１００では、図９（ａ）に示すように、重ね合わされている台形状の２枚の包装フィルム（以下、「表フィルム」、「裏フィルム」という。）１１０，１２０の両側縁１１１，１２１が溶断シールされている。そして、幅の狭い一端部（以下、「上端部」という。）が突片状に突出しているヘッダ部１０１とされ、幅の広い他端部（以下、「下端部」という。）がサンドイッチＳ（図９（ｂ）参照）の挿入口となる開口部１０２とされている。そして、両側縁１１１，１２１とヘッダ部１０１と開口部１０２とで囲まれた内側にサンドイッチＳの収納部１０３が設けられている。
【０００３】
ヘッダ部１０１と収納部１０３との境界部は、帯状にシールされ、封止部１０４が設けられている。ヘッダ部１０１は、両側縁１１１，１２１と封止部１０４だけでなく、端縁１１２，１２２もシールされている。このヘッダ部１０１を構成している裏フィルム１２０のほぼ中心部には、開封起点となる例えば逆Ｕ字形の切込線１２３が形成されている。また、切込線１２３の内側には、摘み上げることのできる舌片状の摘み部１２４が設けられている。さらに、裏フィルム１２０の内側面には、摘み部１２４の位置から封止部１０４を交差して開口部１０２付近まで、裏フィルム１２０を引き裂くための細い帯状のカットテープなどの切断手段（以下、「カットテープ」という。）１３０が貼着されている。
【０００４】
そして、重ね合わされた表フィルム１１０と裏フィルム１２０は、図９（ｂ）に示すように、開口部１０２が長方形状に開口されることにより、裏フィルム１２０及び表フィルム１１０の各側縁１１１，１２１に跨った部分が一対の対向する三角形状の側面部Ａ，Ａとなる一方、裏フィルム１２０の中間部分が長方形状の背面部Ｂとなる。そして、表フィルム１１０の中間部分が長方形状の正面部Ｃとなり、空間をもった収納部１０３が形成される。この収納部１０３内にサンドイッチＳが収納される。
【０００５】
そして、開口部１０２側の表フィルム１１０と裏フィルム１２０は、図９（ｃ）に示すように、折り畳まれて底面部Ｄとされる。この底面部Ｄは粘着テープ（図示せず）などによって封緘されることにより、サンドイッチＳが包装された状態とされる。
【０００６】
包装されたサンドイッチＳを食するには、片方の手の指でヘッダ部１０１を摘み、他方の手の指で裏フィルム１２０に設けられた摘み部１２４を摘んで真っ直ぐ下方向へ引っ張る。そうすると、図９（ｃ）の仮想線で示すように、カットテープ１３０が裏フィルム１２０の封止部１０４を裁断し、裏フィルム１２０を下方へ引き裂く。裏フィルム１２０が底面部Ｄの方まで引き裂かれることにより、食品用包装袋１００は開封される。そして、サンドイッチＳが収納部１０３内から取り出される。
【０００７】
また、他の従来の食品用包装袋として、例えば、図１０に示すようなものが知られている（特許文献１参照）。この食品用包装袋２００では、略台形状の表フィルム２０１の幅中央に切り込み２０５が形成され、該切り込み２０５を閉じるように、四角形状の閉塞フィルム２０６の周縁部がヒートシールされている。一方、閉塞フィルム２０６が内側に位置するように、表フィルム２０１と同一形状の裏フィルム２０２が表フィルム２０１に重ね合わされ、表フィルム２０１および裏フィルム２０２の互いの側縁部２０１ａ，２０２ａがヒートシールされ、ヒートシールされたことによって形成される開口部２０７からサンドイッチＳが挿入される。
【先行技術文献】
【特許文献】
【０００８】
【特許文献１】特開２００１−２８７７５０号公報
【０００９】
従来の食品用包装袋１００は、開封起点となる切込線１２３が裏フィルム１２０の内外を連通させることから、摘み部１２４をヘッダ部１０１内に位置させ、外気が収納部１０３内に進入しないようにすることにより、サンドイッチＳの品質を維持するようにしている。したがって、従来の食品用包装袋１００を開封するには、切込線１２３の内側に設けられた摘み部１２４を摘んで引っ張ることにより、カットテープ１３０が封止部１０４を裁断し、裏フィルム１２０を下方へ引き裂かなければならない。
【００１０】
しかし、摘み部１２４が真っ直ぐ下方向に引っ張られず、カットテープ１３０が裏フィルム１２０を封止部１０４に沿って側縁１１１，１２１の方へ引き裂く場合がある。すると、最悪の場合は、側縁１１１，１２１の溶断シールが剥がれ、表裏両フィルム１１０，１２０間からサンドイッチＳがこぼれてしまう。また、カットテープ１３０が封止部１０４の部位において切断され、裏フィルム１２０を下方へ引き裂くことができない場合もある。
【００１１】
また、前記公報の食品用包装袋２００の場合、切り込み２０５を形成する工程と、閉塞フィルム２０６を切断加工する工程と、切り込み２０５を閉じるように、閉塞フィルム２０６の周縁部をヒートシールする工程とを備える必要があるため、その分コスト高になるという問題がある。
【発明の概要】
【発明が解決しようとする課題】
【００１２】
そこで、本発明は、包装された食品を誰もが容易にかつ確実に取り出すことができるようにした食品用包装袋を提供することを課題とする。
【課題を解決するための手段】
【００１３】
本発明に係る食品用包装袋は、重ね合わされる両側縁がシールされる２枚の包装フィルムと、２枚の包装フィルムの一端部を両側縁間に亘ってシールして設けられる封止部と、２枚の包装フィルムの他端部をシールすることなく設けられる開口部と、該開口部と該２枚の包装フィルムの両側縁と封止部とによって囲まれた内側に設けられる収納部とを備え、該収納部に食品を収納した後、２枚の包装フィルムのうちの一方の包装フィルムの他端部の中央部を内側に折り畳み、次に、他方の包装フィルムの他端部の中央部を内側に折り畳み、次に、左右の側部を内側に折り畳むことによって、閉塞部が設けられ、且つ、該閉塞部の周縁から、他方の包装フィルムの他端部の中央部に設けられた開封起点となる摘み部が突出することを特徴とする。
【００１５】
また、本発明に係る食品用包装袋の他態様として、前記他方の包装フィルムの他端部は、内方に向かって凸となり且つ前記摘み部の両側縁に繋がる第１の内円弧縁と、内方に向かって凸となり且つ２枚の包装フィルムの両側縁に繋がる第２の内円弧縁と、外方に向かって凸となり且つ第１および第２の内円弧縁同士を繋ぐ外円弧縁とを備え、前記一方の包装フィルムの他端部は、前記第１の内円弧縁に対応する第１の内円弧縁と、前記第２の内円弧縁に対応する第２の内円弧縁と、前記外円弧縁に対応する外円弧縁とを備えるような構成を採用することもできる。
【発明の効果】
【００１６】
本発明によれば、開封に際して、開口部を閉塞するように折り畳まれた２枚の包装フィルムの他端部の摘み部を持って開口することで、包装された食品を誰もが容易にかつ確実に取り出すことができる。
【図面の簡単な説明】
【００１７】
【図１】本発明に係る第１実施形態の食品用包装袋を示す正面図。
【図２】図１に示す食品用包装袋の開口部からサンドイッチを収容した状態を示す斜視図。
【図３】一方の包装フィルムの他端部の中央部を内側に折り畳んだ状態を示す斜視図。
【図４】他方の包装フィルムの他端部の中央部を内側に折り畳んで、重ね合わせた状態を示す斜視図。
【図５】両包装フィルムの他端部の左右の側部を内側に折り畳んで、開口部を閉塞してサンドイッチを包装した状態を示す斜視図。
【図６】閉塞部を底面として陳列した状態を示す斜視図。
【図７】閉塞部を背面として陳列した状態を示す斜視図。
【図８】本発明に係る第２実施形態の食品用包装袋を示す正面図。
【図９】（ａ）は、従来の食品用包装袋を示す正面図、（ｂ）は、食品を包装する途中の斜視図、（ｃ）は、食品を包装した後、開封している途中を示す斜視図。
【図１０】他の従来の食品用包装袋を示す正面図。
【発明を実施するための形態】
【００１８】
〔第１実施形態〕
本発明に係る食品用包装袋の第１実施形態について、図１〜図７を参照しながら説明する。この食品用包装袋１では、図１に示すように、重ね合わされる略台形状の２枚の包装フィルム（以下、「表フィルム」、「裏フィルム」という。）１０，２０の両側縁１１，２１がシールされ、幅の狭い一端部１２，２２を表裏両フィルム１０，２０の両側縁１１，２１間に亘って帯状にシールして封止部５４が設けられている。
【００１９】
また、食品用包装袋１は、封止部５４よりも上側がヘッダ部５１とされ、このヘッダ部５１の端縁５５もシールされている。図示したヘッダ部５１は、長方形状に形成されているが、台形に形成されていてもよい。
【００２０】
また、重ね合わせられた表裏両フィルム１０，２０の広い幅の他端部１３，２３は、シールされず、開口部５２が設けられる。そして、表裏両フィルム１０，２０の他端部１３，２３が、図１に示す鎖線Ｅ、すなわち、食品（サンドイッチ）Ｓの短辺ａを基準にした仮想線に基づいて折り畳まれて閉塞部６０が設けられる。この閉塞部６０の周縁の一部から突出するように、前記他端部１３，２３に、開封起点となる矩形状の摘み部６１が設けられる。
【００２１】
さらに、表裏両フィルム１０，２０の他端部１３，２３は、内方に向かって凸となり且つ摘み部６１の両側縁６１ａ，６１ａに位置する開口周縁部５２ａに形成される第１の内円弧縁６２，６２（摘み部６１の両側縁６１ａ，６１ａに繋がる第１の内円弧縁６２，６２）と、内方に向かって凸となり且つ表裏両フィルム１０，２０の両側縁１１，２１に繋がる第２の内円弧縁６３，６３と、外方に向かって凸となり且つ第１および第２の内円弧縁６２，６３の間に形成される外円弧縁６４，６４（第１および第２のうち円弧縁６２，６３同士を繋ぐ外円弧縁６４，６４）とを備えている。そして、表裏両フィルム１０，２０の両側縁１１，２１に対して直交する線Ｔと、左右の第２の内円弧縁６３，６３の端部６３ａ，６３ａにおける接線との角度が鋭角をなしている。
【００２２】
重ね合わされた表フィルム１０と裏フィルム２０は、図９（ｂ）の場合と同様に、開口部５２が長方形状に開口されることにより、表フィルム１０および裏フィルム２０の各側縁１１，２１に跨った部分が一対の対向する三角形状の側面部Ａ，Ａとなる一方、裏フィルム２０の中間部分が長方形状の背面部Ｂとなる。そして、表フィルム１０の中間部分が長方形状の正面部Ｃとなり、空間をもった収納部５３が形成される。この収納部５３内にサンドイッチやカステラのような食品（以下、「サンドイッチ」という。）Ｓ（図２参照）が収納される。
【００２３】
この収納部５３側の表フィルム１０の内側面の中央には、図１に示すように、サンドイッチＳの表面がこすれても汚れないようにするための汚れ防止フィルム６５が重ね合わせられている。この汚れ防止シートは、例えば、一端部が２箇所でポイントシールＰされている。そして、例えば、ゆで卵とマヨネーズなどをミックスした具材が付着しても、他端部が自由端であることから、サンドイッチＳの動きに追従することになり、表フィルム１０が汚れることがない。
【００２４】
そして、収納部５３内にサンドイッチＳが挿入されるときには、開口部５２に所定圧のエアーが吹き込まれるが、このエアーにより開口部５２が長方形状に広げられても、表裏両フィルム１０，２０の両側縁１１，２１と、上述した第２の内円弧縁６３の端部６３ａとの角度が鋭角をなしていることから、図２に示すように、ヒートシールされた表裏両フィルム１０，２０の両側縁１１，２１が、引き裂かれる方向とは逆方向に突出するようになり、前記両側縁１１，２１が引き裂かれることはない。したがって、支障なく収納部５３内にサンドイッチＳを収納することができる。
【００２５】
なお、図１の破線に示すように、裏フィルム２０の上下両端（ヘッダ部５１の上端縁５５と開口部５２の開口端縁）の各中心を結ぶラインの中心、換言すれば、収納部５３のほぼ中心に開封起点となる切込線２５を形成するようにしてもよい。切込線２５は、切れ目やミシン目などによって図示したような逆Ｕ字形、半円形、逆Ｖ字形、Ｘ字形、十字形、−字形などに形成される。この逆Ｕ字形、半円形、逆Ｖ字形の切込線２５の内側は、摘み部２６とされる。そして、裏フィルム２０には、切込線２５付近から開口部５２の方向に切断手段３０が設けられている。この切断手段３０は、例えば、裏フィルム２０の裏面に貼付されるカットテープ、一対のハーフカットや糸などである。
【００２６】
そして、開口部５２側の表裏両フィルム１０，２０が折り畳まれて底面となる閉塞部６０が設けられている。この閉塞部（底面部）６０が封緘されることによって、サンドイッチＳが包装された状態となり、外気などが収納部５３内に進入することがなく、包装されたサンドイッチＳは、所期の品質が維持され、衛生的に販売される。
【００２７】
つぎに、第１実施形態に係る食品用包装袋の使用態様について、図２〜図７を参照して説明する。まず、図２に示すように、食品用包装袋１の開口部５２からサンドイッチＳが収容される。この際、サンドイッチＳの長辺ｂに対応する裏フィルム２０の他端部２３の長さＬ１が大きく、サンドイッチＳの斜辺ｃに対応する表フィルム１０の他端部１３の長さＬ２が小さくなっている。
【００２８】
つぎに、図３に示すように、表フィルム１０の他端部１３の中央部１３ａを内側に折り畳む。その後、図４に示すように、裏フィルム２０の他端部２３の中央部２３ａを内側に折り畳んで、表裏両フィルム１０，２０の他端部１３，２３を重ね合わせる。この際、裏フィルム２０の摘み部６１が表フィルム１０よりも突出する。一方、表裏両フィルム１０，２０の他端部１３，２３の中央部１３ａ，２３ａが折り畳まれることで、表裏両フィルム１０，２０の第２の内円弧縁６３，６３に対して斜めの折り目が形成される。これによって、左右の側部１３ｂ，２３ｂ、１３ｂ，２３ｂは略台形状を呈し、起立した状態になる。具体的に説明すると、表裏両フィルム１０，２０の側部１３ｂ，２３ｂ、１３ｂ，２３ｂは、図２に示すように、側部２３ｂが長く、側部１３ｂが短いため、図１に示す鎖線Ｅ、すなわち、食品（サンドイッチ）Ｓの短辺ａを基準にした仮想線に基づいて折り畳むと、鎖線Ｅに対して、側部２３ｂの斜辺が短くて、角度（鋭角）βが大きい一方、側部１３ｂの斜辺が長くて、角度（鋭角）αが小さくなっている。なお、表裏両フィルム１０，２０の他端部１３，２３が重ね合わされた状態で、当該重ね合わされた所定箇所が部分的にヒートシールされる（図示しない）。また、左右の側部１３ｂ，２３ｂ、１３ｂ，２３ｂは、付け根部にて幅方向に（例えば線状に）ヒートシールされる（図示しない）。
【００２９】
そして、図５に示すように、起立した左右の側部１３ｂ，２３ｂ、１３ｂ，２３ｂを内側に折り畳む。この際、折り畳まれた左右の側部１３ｂ，２３ｂ、１３ｂ，２３ｂが略台形状を呈していることから、２つの側部１３ｂ，２３ｂ、１３ｂ，２３ｂの角部同士が重ね合わされることがない。このため、摘み部６１を引っ張る方向には障害となるものがほとんどない。しかも、上述した側部１３ｂ，１３ｂの斜辺が長くて、角度（鋭角）αが小さくなっていることから、内側に向うにしたがって、傾斜するようになる。この凹部Ｇの向きと、摘み部６１を引っ張る方向（展開する方向）とが合っているため、摘み部６１が引っ張られた場合、折り畳まれた表裏両フィルム１０，２０の他端部１３，２３を支障なく展開することができる。すなわち、図２に示すように、開口部５２を矩形状に大きく開くことができる。
【００３０】
そして、最後に、左右の側部１３ｂ，２３ｂ、１３ｂ，２３ｂを折り畳むことによって重なり合った表裏両フィルム１０，２０の当該重ね合わされた所定箇所が部分的にヒートシールされる（図示しない）。これにより、開口部５２が閉塞されてサンドイッチＳが包装される。なお、開口部５２を閉鎖するための手段としては、ヒートシールではなく、例えば折り畳まれた状態の左右の側部１３ｂ，２３ｂ、１３ｂ，２３ｂにラベルやテープを貼着するようにしてもよい。
【００３１】
サンドイッチＳを包装した包装体は、図６に示すように、表裏両フィルム１０，２０の他端部１３，２３が折り畳まれて設けられた閉塞部６０を底面として陳列することもでき、図７に示すように、閉塞部６０を背面として陳列することもできる。但し、図７の場合は、ヘッダ部５１を矢印の方向（内側）に折り畳んで隠すようにした方がよい。
【００３２】
そして、サンドイッチＳを食する場合は、裏フィルム２０の摘み部６１を展開する方向に引っ張って起立させる。そうすると、摘み部６１の起立にともなって、折り畳まれた２つの側部１３ｂ，２３ｂ、１３ｂ，２３ｂが起立して略平行するようになる。そして、表フィルム１０の他端部１３の中央部１３ａを起立させると、図２に示すように、表裏両フィルム１０，２０の他端部１３，２３がサンドイッチＳの長辺ｂおよび斜辺ｃの延長線上に沿って展開され、表裏両フィルム１０，２０の他端部１３，２３の全体が大きく開口されて、収納部５３からサンドイッチＳが容易にかつ確実に取り出せる。すなわち、図２に示すように、サンドイッチＳの底面Ｄを拡大した開口部５２が、サンドイッチＳの長辺ｂおよび斜辺ｃの延長線上に形成されるようになり、サンドイッチＳが取り出しやすくなる。
【００３３】
以上、第１実施形態の食品用包装袋は、重ね合わされる両側縁がシールされる２枚の包装フィルム１０，２０と、２枚の包装フィルム１０，２０の一端部１２，２２を両側縁１１，２１間に亘ってシールして設けられる封止部５４と、２枚の包装フィルム１０，２０の他端部１３，２３をシールすることなく設けられる開口部５２と、該開口部５２と該２枚の包装フィルム１０，２０の両側縁１１，２１と封止部５４とによって囲まれた内側に設けられる収納部５３とを備え、該収納部５３に食品Ｓを収納した後、２枚の包装フィルム１０，２０のうちの一方の包装フィルム１０の他端部１３の中央部を内側に折り畳み、次に、他方の包装フィルム２０の他端部２３の中央部を内側に折り畳み、次に、左右の側部１３ｂ、２３ｂを内側に折り畳むことによって、閉塞部６０が設けられ、且つ、該閉塞部６０の周縁から、他方の包装フィルム２０の他端部２３の中央部に設けられた開封起点となる摘み部６１が突出する。そのため、他端部１３，２３が折り畳まれて設けられた閉塞部６０の周縁の所定箇所から突出する摘み部６１を開封起点として、折り畳まれた方向とは逆方向に引っ張ることで、折り畳まれた他端部１３，２３を展開することができ、閉塞部６０をきれいに開口することができる。すなわち、誰でも収容部５３から食品Ｓを容易に取り出すことができる。また、開口しても、再度折り畳むことができるので、食べ残した食品を収容することもできる。
【００３４】
また、本発明に係る食品用包装袋によれば、他方の包装フィルム２０の他端部２３は、内方に向かって凸となり且つ前記摘み部６１の両側縁６１ａ，６１ａに繋がる第１の内円弧縁６２と、内方に向かって凸となり且つ２枚の包装フィルム１０，２０の両側縁１１，２１に繋がる第２の内円弧縁６３と、外方に向かって凸となり且つ第１および第２の内円弧縁６２，６３同士を繋ぐ外円弧縁６４とを備え、前記一方の包装フィルム１０の他端部１３は、前記第１の内円弧縁６２に対応する第１の内円弧縁６２と、前記第２の内円弧縁６３に対応する第２の内円弧縁６３と、前記外円弧縁６４に対応する外円弧縁６４とを備える。そのため、他端部１３，２３を折り畳んだ際に、重ね合わさる部分がなくなる。すなわち、他端部１３，２３を展開する場合に邪魔になる部分がなく、円滑に展開することもできる。
【００３５】
〔第２実施形態〕
つぎに、本発明に係る食品用包装袋の第２実施形態について図８を参照しながら説明する。第２実施形態の食品用包装袋２は、第１実施形態の食品用包装袋１と同様、図８に示すように、重ね合わされる台形状の表裏両フィルム１０，２０の両側縁１１，２１がシールされている。一方、幅の狭い上端部で表裏両フィルム１０，２０の両側縁１１，２１間に亘って帯状にシールして封止部５４が設けられるとともに、封止部５４よりも上側がヘッダ部５１とされている。そして、他端側に設けられた開口部５２と封止部５４と両側縁１１，２１とで囲まれた内側にサンドイッチＳを収納する収納部５３が設けられている。また、ヘッダ部５１の端縁５５もシールされている。
【００３６】
しかし、第２の実施形態の食品用包装袋２は、第１実施形態の食品用包装袋１と異なり、表フィルム１０の開封起点となる摘み部６１０が、裏フィルム２０の摘み部６１よりも突出するように設けられている。この理由としては、食品用包装袋２の開口部５２からサンドイッチＳが収容されると、図２に示すように、サンドイッチＳの長辺ｂに対応する裏フィルム２０の他端部２３の長さＬ１が大きく、サンドイッチＳの斜辺ｃに対応する表フィルム１０の他端部１３の長さＬ２が小さくなっているため、裏フィルム２０の他端部２３の中央部２３ａを先に折り畳んだ後、表フィルム１０の他端部１３の中央部１３ａを折り畳んだ場合、表フィルム１０の他端部１３の摘み部６１を閉塞部６０の周縁から裏側（背面部Ｂ側）に突出させることができない。つまり、開封できない。
【００３７】
これを解消すべく、表フィルム１０の開封起点となる摘み部６１０を、裏フィルム２０の摘み部６１よりも突出するようにしておけば、摘み部６１０を開封起点とすることができる。但し、表フィルム１０の摘み部６１０が裏フィルム２０から外方に突出するため、閉塞部６０を底部として、陳列することになる。
【００３８】
以上、第２実施形態の食品用包装袋２は、２枚の包装フィルム１０，２０の他端部１３，２３にそれぞれ開封起点となる摘み部６１０，６１が設けられ、一方の摘み部６１０の突出長さが、他方の摘み部６１の突出長さよりも大きくなっている。そのため、２枚の包装フィルム１０，２０のいずれの他端部１３，２３が折り畳まれても、閉塞部６０の周縁から摘み部６１０が突出することになり、包装作業の効率を向上することができる。
【００３９】
なお、本発明は、前記実施の形態に限定することなく、特許請求の範囲に記載した技術的事項の範囲内において種々変更することができる。
【００４０】
例えば、前記第１および第２実施形態では、表裏両フィルム１０，２０の他端部１３，２３の左右の側部１３ｂ，２３ｂを、他端部１３，２３の中央部１３ａ，２３ａよりも後に折り畳むようにしたが、表裏両フィルム１０，２０の他端部１３，２３の左右の側部１３ｂ，２３ｂを、他端部１３，２３の中央部１３ａ，２３ａよりも先に折り畳むようにしてもよい。
【００４１】
また、前記第１および第２実施形態では、切込線２５、摘み部２６および切断手段３０が設けられ、これを用いても包装体を開封してサンドイッチＳを取り出すことができるようになっている。しかしながら、上記のように摘み部６１を持って閉塞部６０から開封できるようになっているので、切込線２５、摘み部２６および切断手段３０からなる従来型の開封手段は無くてもよい。
【００４２】
また、前記第１および第２実施形態では、ヘッダ部５１の端縁５５がシールされている食品用包装袋１，２において、裏フィルム２０の他端部２３に開封起点となる摘み部６１，６１０を設け、表裏両フィルム１０，２０の他端部に、第１の内円弧縁６２、第２の内円弧縁６３、外円弧縁６４を設けるようにしたが、ヘッダ部５１の端縁５５がシールされない食品用包装袋においても、前記第１および第２実施形態と同様に、摘み部６１，６１０、および、第１の内円弧縁６２、第２の内円弧縁６３、外円弧縁６４を設けることができる。
【符号の説明】
【００４３】
１，２…食品用包装袋、１０…包装フィルム（表フィルム）、１１，２１…包装フィルムの両側縁、１２，２２…包装フィルムの一端部、１３，２３…包装フィルムの他端部、２０…包装フィルム（裏フィルム）、５１…ヘッダ部、５２…開口部、５３…収納部、５４…封止部、６０…閉塞部、６１，６１０…摘み部、６１ａ…摘み部の両側縁、６２…第１の内円弧縁、６３…第２の内円弧縁、６４…外円弧縁、Ｓ…サンドイッチ
【要約】      （修正有）【課題】包装された食品を誰もが容易にかつ確実に取り出すことができるようにした食品用包装袋を提供する。【解決手段】本発明に係る食品用包装袋１は、重ね合わされる両側縁１１および一端部がシールされる２枚の包装フィルム１０，２０と、両包装フィルム１０，２０の他端部をシールすることなく設けられる開口部５２と、両包装フィルム１０，２０の内側に設けられる収納部５３とを備え、両包装フィルム１０，２０の他端部１３が折り畳まれることによって設けられる閉塞部の周縁の一部から突出するように、両包装フィルム１０，２０の他端部１３に開封起点となる摘み部６１が設けられる。【選択図】図１【図１】
0005230832.tif 000002
【図２】
0005230832.tif 000003
【図３】
0005230832.tif 000004
【図４】
0005230832.tif 000005
【図５】
0005230832.tif 000006
【図６】
0005230832.tif 000007
【図７】
0005230832.tif 000008
【図８】
0005230832.tif 000009
【図９】
0005230832.tif 000010
【図１０】
0005230832.tif 000011